(57)【要約】【課題】本発明は印字画像１ドットの縦横の比率を改善して画像品質を向上させる画像書込装置を提供する。【解決手段】デジタル複写装置１は、ＬＥＤ書込制御回路５１が、主走査１ライン間に１ライン分の画像データを、感光体２３の軸線方向を主走査方向として副走査方向に所定量ずれて、主走査方向で所定量重なる状態で千鳥状に配列された各ＬＥＤヘッド２５ａ〜２５ｃに転送し、当該画像データに基づいた点灯制御を複数回行って、各ＬＥＤを複数回点灯駆動させる。したがって、１ライン間幅に対する印字密度を増やして、横線を太らせることができ、１ドットの縦横の比率を改善して、画像品質を向上させることができる。【選択図】          図２
2005169799.tif 000002
【特許請求の範囲】
【請求項１】
２値の画像データに応じて発光制御される複数個の発光素子が一方向に配列された発光素子アレイと、当該発光素子アレイの発光光を感光体に結像させる結像手段と、を備えた複数の発光素子アレイユニットが、前記感光体の軸線方向を主走査方向として副走査方向に所定量ずれて、主走査方向で所定量重なる状態で千鳥状に配列され、画像データ転送制御手段が、１ライン分の画像データを前記発光素子アレイユニット毎に分割して各発光素子アレイユニットに転送し、駆動タイミング制御手段が、当該画像データに基づく前記発光素子アレイユニットの各発光素子の点灯タイミングを制御して点灯駆動させて主走査する画像書込装置において、前記画像データ転送制御手段が、主走査１ライン間に１ライン分の画像データを前記各発光素子アレイユニットに転送し、前記駆動タイミング制御手段が、当該画像データに基づいた点灯制御を複数回行って、前記各発光素子を複数回点灯駆動させることを特徴とする画像書込装置。
【請求項２】
前記駆動タイミング制御手段は、前記主走査１ライン間の複数回の点灯タイミングを、当該主走査１ライン内の最大制御有効範囲内で制御することを特徴とする請求項１記載の画像書込装置。
【請求項３】
前記駆動タイミング制御手段は、前記発光素子の複数回の点灯駆動の点灯時間を、点灯有効範囲内で制御することを特徴とする請求項１または請求項２記載の画像書込装置。
【請求項４】
前記駆動タイミング制御手段は、前記点灯時間を比率制御することを特徴とする請求項３記載の画像書込装置。
【請求項５】
前記発光素子アレイは、奇数目の発光素子と偶数目の発光素子が副走査方向に所定量位置ずれて配設されていることを特徴とする請求項１から請求項４のいずれかに記載の画像書込装置。
【請求項６】
前記画像データ転送制御手段は、前記主走査１ラインのデータを前記発光素子アレイに転送する際、前記奇数目の発光素子用の画像データを転送した後、前記偶数目の発光素子用の画像データを転送、あるいは、前記偶数目の発光素子用の画像データを転送した後、前記奇数目の発光素子用の画像データを転送することを特徴とする請求項５記載の画像書込装置。
【請求項７】
前記発光素子アレイは、前記感光体の回転方向に対して、前記奇数目の発光素子よりも前記偶数目の発光素子が所定量上流側に配設されており、前記画像データ転送制御手段は、前記主走査１ラインの画像データを前記発光素子アレイに転送する際、前記奇数目の発光素子用の画像データを先に転送し、その後、前記偶数目の発光素子用の画像データを転送することを特徴とする請求項６記載の画像書込装置。
【請求項８】
前記画像書込装置は、前記画像データの出力モードとして、コピーモード、プリンタモード等の複数の出力モードを有し、当該出力モードによって前記画像データ転送制御手段による前記画像データの転送及び前記駆動タイミング制御手段による点灯駆動タイミングを制御することを特徴とする請求項１から請求項７のいずれかに記載の画像書込装置。
【発明の詳細な説明】
【技術分野】
【０００１】
本発明は、画像書込装置に関し、詳細には、印字画像１ドットの縦横の比率を改善して画像品質を向上させる画像書込装置に関する。
【背景技術】
【０００２】
電子写真方式を利用した複写機、プリンタ及びファクシミリ装置等の画像形成装置においては、一様に帯電された感光体上に、光書込部で画像データにより変調された書込光を照射して、感光体上に静電潜像を形成し、この静電潜像の形成された感光体に現像部によりトナーを供給して感光体を現像する。画像形成装置は、この感光体上のトナー像を転写部で記録紙に転写した後、定着部で記録紙上に転写したトナー画像を加熱・加圧して定着させて画像形成している。
【０００３】
このような画像形成装置の光書込部としては、光源としてレーザを出射するＬＤ（Laser Diode ）とポリゴンモータにより回転駆動するポリゴンミラーを備えたレーザビーム走査光学系を用いたＬＤ走査方式と、光源としてＬＥＤ（Light Emitting Diode）等の発光素子をアレイ状に配列した発光素子アレイ方式とが一般に用いられている。
【０００４】
この発光素子アレイ方式は、２値の画像を画像出力すると、プロセス条件によっては、１ドットの印字が横太りの楕円形に印字されるが、１ドットの格子画像（例えば、５ｍｍ感覚の画像）であると、鮮明に現れ、縦線が横線よりも太く印字されて、縦横比が問題となっていた。
【０００５】
そこで、従来、ＬＥＤ毎の階調データと複数のＬＥＤで構成されるＬＥＤブロックの単位で出力バラツキを補正するデータと、ＬＥＤブロックの平均値に対する出力バラツキを補正するデータと、を加算し、当該加算したデータによりＬＥＤのバラツキを抑制するＬＥＤヘッドが提案されている（特許文献１参照）。すなわち、この従来技術は、ＬＥＤのバランス補正データを用いて、多値の画像データに対して補正して、画像品質の向上を図っている。
【０００６】
【特許文献１】特開平９−１１５４０号公報
【発明の開示】
【発明が解決しようとする課題】
【０００７】
しかしながら、上記従来技術にあっては、印字画像１ドットの縦横比を、ＬＥＤのバランス補正データを用いることなく、抑制し、画像品質を向上させる上で、改良の必要があった。
【０００８】
すなわち、上記従来技術は、ＬＥＤのバランス補正データを用いて、この補正データと画像データを加算することで、多値の画像データに対して補正し、画像品質の向上を図っており、多値データ以外の場合に対応することができないだけでなく、画像品質の向上を図ることはできるが、縦横の比率を改善することができない。また、補正データを用いることなく、印字画像１ドットの縦横の比率を改善するうえで、改良が望まれている。
【０００９】
そこで、請求項１記載の発明は、２値の画像データに応じて発光制御される複数個の発光素子が一方向に配列された発光素子アレイと、当該発光素子アレイの発光光を感光体に結像させる結像手段と、を備えた複数の発光素子アレイユニットが、感光体の軸線方向を主走査方向として副走査方向に所定量ずれて、主走査方向で所定量重なる状態で千鳥状に配列され、画像データ転送制御手段が、１ライン分の画像データを発光素子アレイユニット毎に分割して各発光素子アレイユニットに転送し、駆動タイミング制御手段が、当該画像データに基づく発光素子アレイユニットの各発光素子の点灯タイミングを制御して点灯駆動させて主走査するに際して、画像データ転送制御手段が、主走査１ライン間に１ライン分の画像データを各発光素子アレイユニットに転送し、駆動タイミング制御手段が、当該画像データに基づいた点灯制御を複数回行って、各発光素子を複数回点灯駆動させることにより、各発光素子を主走査１ライン間に複数回印字することで、１ライン間幅に対する印字密度を増やして、横線を太らせ、１ドットの縦・横の比率を改善して、画像品質を向上させる画像書込装置を提供することを目的としている。
【００１０】
請求項２記載の発明は、駆動タイミング制御手段が、主走査１ライン間の複数回の点灯タイミングを、当該主走査１ライン内の最大制御有効範囲内で制御することにより、複数回の点灯間隔を広げて、より一層横線を太らせ、１ドットの縦・横の比率をより一層改善して、より一層画像品質を向上させる画像書込装置を提供することを目的としている。
【００１１】
請求項３記載の発明は、駆動タイミング制御手段が、発光素子の複数回の点灯駆動の点灯時間を、点灯有効範囲内で制御することにより、コピー時等の１回のみ点灯駆動させる場合の画像濃度と同じ画像濃度であって、かつ、１ライン内でのエッジ濃度を上げることで、より一層横線を太らせ、１ドットの縦・横の比率をより一層改善して、画像品質をより一層向上させる画像書込装置を提供することを目的としている。
【００１２】
請求項４記載の発明は、駆動タイミング制御手段が、点灯時間を比率制御することにより、各発光素子アレイの調整を簡単かつ容易なものとするとともに、コピー時等の１回のみ点灯駆動させる場合の画像濃度と同じ画像濃度であって、かつ、１ライン内でのエッジ濃度を上げることで、より一層横線を太らせ、１ドットの縦・横の比率をより一層改善して、画像品質をより一層向上させる画像書込装置を提供することを目的としている。
【００１３】
請求項５記載の発明は、発光素子アレイを、奇数目の発光素子と偶数目の発光素子が副走査方向に所定量位置ずらして配設することにより、主走査１ライン間内で多少のズレが生じても、感光体の回転と発光素子アレイの偶数目の発光素子の点灯タイミングと奇数目の発光素子の点灯タイミングにズレが生じ、主走査１ライン内で横線を太らせ、縦・横の比率をより一層改善して、画像品質をより一層向上させる画像書込装置を提供することを目的としている。
【００１４】
請求項６記載の発明は、画像データ転送制御手段が、主走査１ラインのデータを発光素子アレイに転送する際、奇数目の発光素子用の画像データを転送した後、偶数目の発光素子用の画像データを転送、あるいは、偶数目の発光素子用の画像データを転送した後、奇数目の発光素子用の画像データを転送することにより、コピー時等の１回のみ点灯駆動させる場合のデータ転送と、プリンタ時等の複数回点灯駆動させる場合のデータ転送を切り換え、また、各発光素子アレイの取付方向に依存したデータ転送を行い、感光体の回転と発光素子アレイの偶数目の発光素子の点灯タイミングと奇数目の発光素子の点灯タイミングにズレを生じさせて、主走査１ライン内で横線を太らせ、縦・横の比率をより一層改善して、画像品質をより一層向上させる画像書込装置を提供することを目的としている。
【００１５】
請求項７記載の発明は、発光素子アレイを、感光体の回転方向に対して、奇数目の発光素子よりも偶数目の発光素子が所定量上流側に配設されたものとし、画像データ転送制御手段が、主走査１ラインの画像データを発光素子アレイに転送する際、奇数目の発光素子用の画像データを先に転送し、その後、偶数目の発光素子用の画像データを転送することにより、感光体の回転と発光素子アレイの偶数目の発光素子の点灯タイミングと奇数目の発光素子の点灯タイミングにズレを生じさせて、主走査１ライン内で横線を太らせ、縦・横の比率をより一層改善して、画像品質をより一層向上させる画像書込装置を提供することを目的としている。
【００１６】
請求項８記載の発明は、画像書込装置を、画像データの出力モードとして、コピーモード、プリンタモード等の複数の出力モードを有したものとし、当該出力モードによって画像データ転送制御手段による画像データの転送及び駆動タイミング制御手段による点灯駆動タイミングを制御することにより、線画を忠実に出力する画像書込装置を提供することを目的としている。
【課題を解決するための手段】
【００１７】
請求項１記載の発明の画像書込装置は、２値の画像データに応じて発光制御される複数個の発光素子が一方向に配列された発光素子アレイと、当該発光素子アレイの発光光を感光体に結像させる結像手段と、を備えた複数の発光素子アレイユニットが、前記感光体の軸線方向を主走査方向として副走査方向に所定量ずれて、主走査方向で所定量重なる状態で千鳥状に配列され、画像データ転送制御手段が、１ライン分の画像データを前記発光素子アレイユニット毎に分割して各発光素子アレイユニットに転送し、駆動タイミング制御手段が、当該画像データに基づく前記発光素子アレイユニットの各発光素子の点灯タイミングを制御して点灯駆動させて主走査する画像書込装置において、前記画像データ転送制御手段が、主走査１ライン間に１ライン分の画像データを前記各発光素子アレイユニットに転送し、前記駆動タイミング制御手段が、当該画像データに基づいた点灯制御を複数回行って、前記各発光素子を複数回点灯駆動させることにより、上記目的を達成している。
【００１８】
この場合、例えば、請求項２に記載するように、前記駆動タイミング制御手段は、前記主走査１ライン間の複数回の点灯タイミングを、当該主走査１ライン内の最大制御有効範囲内で制御するものであってもよい。
【００１９】
また、例えば、請求項３に記載するように、前記駆動タイミング制御手段は、前記発光素子の複数回の点灯駆動の点灯時間を、点灯有効範囲内で制御するものであってもよい。
【００２０】
さらに、例えば、請求項４に記載するように、前記駆動タイミング制御手段は、前記点灯時間を比率制御するものであってもよい。
【００２１】
また、例えば、請求項５に記載するように、前記発光素子アレイは、奇数目の発光素子と偶数目の発光素子が副走査方向に所定量位置ずれて配設されているものであってもよい。
【００２２】
さらに、例えば、請求項６に記載するように、前記画像データ転送制御手段は、前記主走査１ラインのデータを前記発光素子アレイに転送する際、前記奇数目の発光素子用の画像データを転送した後、前記偶数目の発光素子用の画像データを転送、あるいは、前記偶数目の発光素子用の画像データを転送した後、前記奇数目の発光素子用の画像データを転送するものであってもよい。
【００２３】
また、例えば、請求項７に記載するように、前記発光素子アレイは、前記感光体の回転方向に対して、前記奇数目の発光素子よりも前記偶数目の発光素子が所定量上流側に配設されており、前記画像データ転送制御手段は、前記主走査１ラインの画像データを前記発光素子アレイに転送する際、前記奇数目の発光素子用の画像データを先に転送し、その後、前記偶数目の発光素子用の画像データを転送するものであってもよい。
【００２４】
さらに、例えば、請求項８に記載するように、前記画像書込装置は、前記画像データの出力モードとして、コピーモード、プリンタモード等の複数の出力モードを有し、当該出力モードによって前記画像データ転送制御手段による前記画像データの転送及び前記駆動タイミング制御手段による点灯駆動タイミングを制御するものであってもよい。
【発明の効果】
【００２５】
請求項１記載の発明の画像書込装置によれば、２値の画像データに応じて発光制御される複数個の発光素子が一方向に配列された発光素子アレイと、当該発光素子アレイの発光光を感光体に結像させる結像手段と、を備えた複数の発光素子アレイユニットが、感光体の軸線方向を主走査方向として副走査方向に所定量ずれて、主走査方向で所定量重なる状態で千鳥状に配列され、画像データ転送制御手段が、１ライン分の画像データを発光素子アレイユニット毎に分割して各発光素子アレイユニットに転送し、駆動タイミング制御手段が、当該画像データに基づく発光素子アレイユニットの各発光素子の点灯タイミングを制御して点灯駆動させて主走査するに際して、画像データ転送制御手段が、主走査１ライン間に１ライン分の画像データを各発光素子アレイユニットに転送し、駆動タイミング制御手段が、当該画像データに基づいた点灯制御を複数回行って、各発光素子を複数回点灯駆動させることにより、各発光素子を主走査１ライン間に複数回印字して、１ライン間幅に対する印字密度を増やして、横線を太らせることができ、１ドットの縦・横の比率を改善して、画像品質を向上させることができる。
【００２６】
請求項２記載の発明の画像書込装置によれば、駆動タイミング制御手段が、主走査１ライン間の複数回の点灯タイミングを、当該主走査１ライン内の最大制御有効範囲内で制御しているので、複数回の点灯間隔を広げて、より一層横線を太らせることができ、１ドットの縦・横の比率をより一層改善して、より一層画像品質を向上させることができる。
【００２７】
請求項３記載の発明の画像書込装置によれば、駆動タイミング制御手段が、発光素子の複数回の点灯駆動の点灯時間を、点灯有効範囲内で制御するので、コピー時等の１回のみ点灯駆動させる場合の画像濃度と同じ画像濃度であって、かつ、１ライン内でのエッジ濃度を上げることで、より一層横線を太らせることができ、１ドットの縦・横の比率をより一層改善して、画像品質をより一層向上させることができる。
【００２８】
請求項４記載の発明の画像書込装置によれば、駆動タイミング制御手段が、点灯時間を比率制御するので、各発光素子アレイの調整を簡単かつ容易なものとすることができるとともに、コピー時等の１回のみ点灯駆動させる場合の画像濃度と同じ画像濃度であって、かつ、１ライン内でのエッジ濃度を上げることで、より一層横線を太らせることができ、１ドットの縦・横の比率をより一層改善して、画像品質をより一層向上させることができる。
【００２９】
請求項５記載の発明の画像書込装置によれば、発光素子アレイを、奇数目の発光素子と偶数目の発光素子が副走査方向に所定量位置ずらして配設しているので、主走査１ライン間内で多少のズレが生じても、感光体の回転と発光素子アレイの偶数目の発光素子の点灯タイミングと奇数目の発光素子の点灯タイミングにズレが生じ、主走査１ライン内で横線を太らせることができ、縦・横の比率をより一層改善して、画像品質をより一層向上させることができる。
【００３０】
請求項６記載の発明の画像書込装置によれば、画像データ転送制御手段が、主走査１ラインのデータを発光素子アレイに転送する際、奇数目の発光素子用の画像データを転送した後、偶数目の発光素子用の画像データを転送、あるいは、偶数目の発光素子用の画像データを転送した後、奇数目の発光素子用の画像データを転送するので、コピー時等の１回のみ点灯駆動させる場合のデータ転送と、プリンタ時等の複数回点灯駆動させる場合のデータ転送を切り換え、また、各発光素子アレイの取付方向に依存したデータ転送を行い、感光体の回転と発光素子アレイの偶数目の発光素子の点灯タイミングと奇数目の発光素子の点灯タイミングにズレを生じさせて、主走査１ライン内で横線を太らせることができ、縦・横の比率をより一層改善して、画像品質をより一層向上させることができる。
【００３１】
請求項７記載の発明の画像書込装置によれば、発光素子アレイを、感光体の回転方向に対して、奇数目の発光素子よりも偶数目の発光素子が所定量上流側に配設されたものとし、画像データ転送制御手段が、主走査１ラインの画像データを発光素子アレイに転送する際、奇数目の発光素子用の画像データを先に転送し、その後、偶数目の発光素子用の画像データを転送するので、感光体の回転と発光素子アレイの偶数目の発光素子の点灯タイミングと奇数目の発光素子の点灯タイミングにズレを生じさせて、主走査１ライン内で横線を太らせることができ、縦・横の比率をより一層改善して、画像品質をより一層向上させることができる。
【００３２】
請求項８記載の発明の画像書込装置によれば、画像書込装置を、画像データの出力モードとして、コピーモード、プリンタモード等の複数の出力モードを有したものとし、当該出力モードによって画像データ転送制御手段による画像データの転送及び駆動タイミング制御手段による点灯駆動タイミングを制御するので、線画を忠実に出力することができる。
【発明を実施するための最良の形態】
【００３３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３４】
図１〜図６は、本発明の画像書込装置の一実施例を示す図であり、図１は、本発明の画像書込装置の一実施例を適用したデジタル複写装置１の正面概略構成図である。
【００３５】
図１において、デジタル複写装置１は、本体筐体２内に、給紙部３、搬送部４、画像形成部５、定着部６、排紙部７及び画像読取部８等が収納されており、さらに、手差しトレイ１０、原稿台１１、分離チャージャ１２、搬送タンク１３、排紙トレイ１４及び操作部１５（図２参照）等が設けられている。
【００３６】
給紙部３には、複数の転写紙２１がセットされ、搬送部４は、レジストローラ２２等を備えて、給紙部３の適宜の転写紙２１をレジストローラ２２でタイミング調整した後、画像形成部５に搬送する。また、搬送部４は、手差しトレイ１０上にセットされた転写紙２１についても、レジストローラ２２でタイミング調整した後、画像形成部５に搬送する。
【００３７】
画像形成部５は、図１の反時計方向に回転駆動される感光体２３を中心として、帯電部２４、光書込部２５、現像部２６、転写部２７、クリーニング部２８等を備えており、帯電部２４は、例えば、グリッド付きのスコロトロンチャージャが用いられていて、感光体２３を一様に帯電（例えば、−１２００Ｖに帯電）させる。画像形成部５は、帯電部２４により一様に帯電された感光体２３に、画像読取部８で読み取った原稿の画像データに基づいて点灯制御される光を光書込部２５が照射することで、光の照射された部分の感光体２３の表面の電荷を光導電現象でアースに流して消滅させて静電潜像を形成して、静電潜像の形成された感光体２３に現像部２６がトナーを付着させてトナー画像を形成する。すなわち、現像部２６内のトナーは、撹拌によって負に帯電されており、バイアスは、−７００Ｖに印可されていて、光の照射部分にだけトナーが付着する。画像形成部５は、感光体２３上に形成したトナー画像を、給紙部３から搬送されてきた転写紙２１に転写部２７で転写し、転写の完了した転写紙２１を分離チャージャ１２により分離して、搬送タンク１３で定着部６に搬送する。また、画像形成部５は、転写の完了した感光体２３上の残留トナーをクリーニング部２８でクリーニングし、清浄にクリーニングされた感光体２３を図示しない除電部で除電した後、帯電部２４で一様に帯電させて、再度画像形成に供する。
【００３８】
そして、この光書込部２５は、図２に示すように、例えば、感光体２３がＡ０幅の書込幅を有しているときには、Ａ３幅の３つのＬＥＤヘッド（発光素子アレイユニット）２５ａ、２５ｂ、２５ｃとＬＥＤ書込制御回路５１及び図示しないＳＡＬ（セルフォックレンズアレイ）等の結像手段等を有し、ＬＥＤヘッド２５ａ〜２５ｃは、ＬＥＤヘッド２５ａを基準として、ＬＥＤヘッド２５ｃがメカニカルレイアウト上、副走査方向に０．５ｍｍずらして取り付けられていて、感光体２３の軸方向にアレイ状に配設されているとともに、感光体２３の回転方向に位置ずれして千鳥状に配設されている。
【００３９】
そして、各ＬＥＤヘッド２５ａ〜２５ｃは、ＬＥＤヘッド２５ｂの平面図である図３に示すように、例えば、総数で、７６８０（１９２×４０＝７６８０）個のＬＥＤ素子ＬＥ１〜ＬＥ７６８０が配列されており、各ＬＥＤ素子ＬＥ１〜ＬＥ７６８０は、ＬＥＤ書込制御回路５１に接続されている。
【００４０】
そして、各ＬＥＤ素子ＬＥ１〜ＬＥ７６８０は、図３に示すように、感光体２３の回転方向（図３に円弧矢印で示す方向）を手前方向とし、転写紙２１の搬送方向を図３の下側から上方向であるとすると、奇数ドットよりも偶数ドットが上流に位置している。いま、奇数ドットと偶数ドットの間隔は、６００ｄｐｉでは、１ドット当たり４２．３ｕの径であるので、１ライン４２．３ｕ幅となり、それ以内である必要がある。なお、機械線速から、奇数ドットの中央と偶数ドットの中央のズレは、１０ｕとする。
【００４１】
再び、図１において、定着部６は、所定の定着温度に加熱される加熱ローラと加熱ローラに圧接されている加圧ローラを備え、画像形成部５から搬送されてくるトナー画像の形成されている転写紙２１を搬送しつつ加熱・加圧して、トナー画像を転写紙２１に定着させて、定着の完了した転写紙２１を排紙部７に排出する。排紙部７は、定着の完了した転写紙２１を排紙トレイ１４上に排出する。
【００４２】
上記画像読取部８は、ローラ３１、密着センサ３２、密着センサ３２と対向する位置に配設されている白色ローラ３３及びローラ３４等を備え、原稿台１１上にセットされた原稿をローラ３１により密着センサ３２と白色ローラ３３の間に搬送する。画像読取部８は、ローラ３１により密着センサ３２と白色ローラ３３との間に搬送されてきた原稿を白色ローラ３３、ローラ３１及びローラ３４で搬送しつつ密着センサ３２で原稿を主走査及び副走査して、原稿の画像を読み取る。すなわち、密着センサ３２は、その光源（例えば、ＬＥＤ）から原稿に読取光を照射し、原稿で反射された画像情報を含む反射光を光電変換してアナログの画像信号を出力する。画像読取部８は、読み取りの完了した原稿をローラ３４により原稿排紙トレイ１６上に排出する。なお、白色ローラ３３は、照明ムラや密着センサ３２の画素毎の感度ムラに等に起因するバラツキを補正するシェーディング補正に利用され、デジタル複写装置１は、この白色ローラ３３を読み取ったときの密着センサ３２の出力するデータをシェーディングデータ（白基準データ）として用いてシェーディング補正する。
【００４３】
そして、デジタル複写装置１は、図２に示すように回路ブロック構成されており、上記画像読取部８、画像形成部５、操作部１５等を備えているとともに、画像情報記憶部４１等を備えている。
【００４４】
画像読取部８は、上記密着センサ３２を備えているとともに、画像増幅回路８１、Ａ／Ｄ変換回路８２、シェーディング補正回路８３、画像処理回路８４、同期制御回路８５、読取制御回路８６及びスキャナ駆動部８７等を有しており、上記密着センサ３２の読み取った原稿のアナログ画像信号が画像増幅回路８１に入力される。画像増幅回路８１は、密着センサ３２から入力されるアナログ画像信号を増幅してＡ／Ｄ変換回路８２に出力し、Ａ／Ｄ変換回路８３は、画像増幅回路８１で増幅されたアナログ画像信号を画素毎の多値デジタル画像データに変換して、シェーディング補正回路８３に出力する。シェーディング補正回路８３は、同期制御回路８５から入力されるクロックに同期してＡ／Ｄ変換回路８２の変換した多値デジタル画像データを取り込んで、光量ムラ、コンタクトガラスの汚れ、密着センサ３２の感度ムラ等によるひずみを補正して、画像処理回路８４に出力し、画像処理回路８４は、シェーディング補正回路８３でシェーディング補正された多値デジタル画像データをデジタル記録画像データに変換して、画像情報記憶部４１の画像メモリ部６１に出力する。
【００４５】
画像情報記憶部４１は、画像メモリ部６１、システム制御部６２及び駆動制御回路６３等を備えており、また、画像形成部５は、上記ＬＥＤヘッド２５ａ、２５ｂ、２５ｃとＬＥＤ書込制御回路５１を備えているとともに、プリンタ駆動部５２を備えている。
【００４６】
画像情報記憶部４１の画像メモリ部６１には、上記画像読取部８の画像処理回路８４からのデジタル記録画像データが書き込まれ、画像メモリ部６１に書き込まれた画像データは、同期信号クロックにより画像形成部５のＬＥＤ書込制御回路５１に転送される。
【００４７】
システム制御部６２は、デジタル複写装置１の全体の制御を行って、読取制御回路８６、画像メモリ部６１、ＬＥＤ書込制御回路５１での画像データの転送制御を行い、また、駆動制御回路６３を介してスキャナ駆動部８７とプリンタ駆動部５２を制御してモータ等を駆動させて、原稿の搬送や転写紙２１の搬送を円滑に制御する。
【００４８】
画像形成部５は、上記画像メモリ部６１からデジタル記録画像データが同期信号クロックによりＬＥＤ書込制御回路５１に転送され、ＬＥＤ書込制御回路５１は、この転送されてきたデジタル記録画像データを１画素単位にビット変換して各ＬＥＤヘッド２５ａ、２５ｂ、２５ｃのＬＥＤ素子ＬＥ１〜ＬＥ７６８０に出力して、各ＬＥＤ素子ＬＥ１〜ＬＥ７６８０の発光制御を行って、各ＬＥＤ素子ＬＥ１〜ＬＥ７６８０で赤外光に変換して出力する。
【００４９】
そして、この画像メモリ部６１からＬＥＤ書込制御回路５１へのデジタル記録画像データの流れとしては、画像メモリ部６１からイーブン（Ｅ）、オッド（Ｏ）の２値画像データが２ラインパラレルの１６ＭＨｚでＬＥＤ書込制御回路５１に送られてくる。このＬＥＤ書込制御回路５１に２ラインで送られてきたデジタル記憶画像データは、ＬＥＤ書込制御回路５１内で一旦、１ラインに合成された後、各ＬＥＤヘッド２５ａ、２５ｂ、２５ｃに転送される。
【００５０】
操作部１５は、デジタル複写装置１に動作をさせるための各種操作を行う操作パネル７１と操作制御回路７２を備えており、操作制御回路７２は、操作パネル７１の操作内容を画像情報記憶部４１のシステム制御部６２に渡し、また、システム制御部６２からの情報を操作パネル７１の表示部に表示出力する。
【００５１】
上記ＬＥＤ書込制御回路５１は、具体的には、図４に示すように回路構成されており、画像データ入力部９０、第１ＩＣ９１、第２ＩＣ９２、画像データＲＡＭ部９３Ａ＿１〜９３Ａ＿３、９３Ｂ＿１〜９３Ｂ＿３、画像データ遅延部９４Ａ〜９４Ｃ、光量補正ＲＡＭ部９５、画像データ出力部９６、ダブルコピーＲＡＭ部９７、ダウンロード部９８及びリセット回路部９９等を備えている。
【００５２】
画像データ入力部９０には、画像メモリ部６１から２値画像信号イーブン（ＰＫＤＥ）とオッド（ＰＫＤＯ）及びタイミング信号が入力され、これらの信号は、画像データメモリ部６１の低電圧作動信号素子ＬＶＤＳドライバを使用してパラレルからシリアルに変換されて１６ＭＨｚで送られてくる。したがって、画像データ入力部９０は、ＬＶＤＳレシーバを使用して、シリアル信号をパラレル信号に変換し、２つ画像信号ＰＫＤＥ、ＰＫＤＯ、クロックＣＬＫＡ及びタイミング信号ＬＳＹＮＣ＿Ｎ、ＬＧＡＴＥ＿Ｎ、ＦＧＡＴＥＩＰＵ＿Ｎとして、第１ＩＣ９１に入力する。
【００５３】
第１ＩＣ９１は、タイミング信号ＬＳＹＮＣ＿Ｎとタイミング信号ＦＧＡＴＥＩＰＵ＿Ｎを、第１ＩＣ９１の内部クロックと同期させ、画像信号処理時間分遅らせて、ＲＬＳＹＮＣ、ＲＦＧＡＴＥとして、第２ＩＣ９２に出力する。
【００５４】
第１ＩＣ９１は、入力されるイーブン・オッド画像信号を内部でラッチ遅延して、４ビット（４画素単位）にし、ＳＲＡＭＤＩ（３．．０）として、ＳＲＡＭアドレス信号ＡＤＲＡ（１０．．０）及びＡＤＲＢ（１０．．０）とともに画像データＲＡＭ部９３Ａ＿１〜９３Ｂ＿３の３個のＡ群ＳＲＡＭ９３Ａ＿１〜９３Ａ＿３とＢ群ＳＲＡＭ９３Ｂ＿１〜９３Ｂ＿３に８ＭＨｚで転送し、格納する。いま、３個のＬＥＤヘッド２５ａ、２５ｂ、２５ｃは、総ドット数２３０４０ドット（Ａ３幅７６８０ドット×３本）で画像信号転送が３分割方式であるため、画像データＲＡＭ部９３Ａ＿１〜９３Ａ＿３は、３個のＬＥＤヘッド２５ａ、２５ｂ、２５ｃに対して、ＬＥＤヘッド２５ａには、ＳＲＡＭ９３Ａ＿１が、ＬＥＤヘッド２５ｂには、ＳＲＡＭ９３Ａ＿２が、ＬＥＤヘッド２５ｃには、ＳＲＡＭ９３Ａ＿３がそれぞれ割り付けられている。画像データＲＡＭ部９３Ａ＿１〜９３Ｂ＿３は、８ＭＨｚで画像信号をＡ群ＳＲＡＭ９３Ａ＿１〜９３Ａ＿３に順次格納して、１ライン終了すると、３個のＡ群ＳＲＡＭ９３Ａ＿１〜９３Ａ＿３から同時に画像信号を読み出して、第１ＩＣ９１に転送する。
【００５５】
８ＭＨｚでＡ群ＳＲＡＭ９３Ａ＿１〜９３Ａ＿３に順次格納された画像信号は、８ＭＨｚでＡ群ＳＲＡＭ９３Ａ＿１〜９３Ａ＿３から同時に読み出されて、再度、第１ＩＣ９１に入力されて、さらに、変換される。
【００５６】
ＬＥＤ書込制御回路５１は、ＳＲＡＭ９３Ａ＿１〜９３Ａ＿３からの画像信号の読み出しを、主走査１ライン間で２回読み出し、１回目の読み出しで、イーブン画像データのみを読み出して、８画素単位に変換する。ＬＥＤ書込制御回路５１は、ＳＲＡＭ９３Ａ＿１〜９３Ａ＿３からの２回目の読み出しで、オッド画像データを取り出して、８画素単位にして、ＦＭ（フィールドメモリ）である画像データ遅延部９４Ａ〜９４Ｃに転送速度２ＭＨｚで送る。第１ＩＣ９１は、Ａ群ＳＲＡＭ９３Ａ＿１〜９３Ａ＿３から読み出された画像信号を内部回路でラッチして、８ビット単位として、ＬＥＤヘッド２５ａ用の画像データについては、第２ＩＣ９２に、ＬＥＤヘッド２５ｂ及びＬＥＤヘッド２５ｃ用の画像データについては、ＦＭ（フィールドメモリ）である画像データ遅延部９４Ａ〜９４Ｃに、それぞれ転送し、また、Ａ群ＳＲＡＭ９３Ａ＿１〜９３Ａ＿３からの読み出し動作を主走査１ライン間で数回行って、同様に転送する。
【００５７】
さらに、画像データＲＡＭ部９３Ａ＿１〜９３Ｂ＿３は、Ａ群ＳＲＡＭ９３Ａ＿１〜９３Ａ＿３の読み出しを行っている間、次のライン画像信号をＢ群ＳＲＡＭ９３Ｂ＿１〜９３Ｂ＿３にＡ群ＳＲＡＭ９３Ａ＿１〜９３Ａ＿３と同様に格納する。画像データＲＡＭ部９３Ａ＿１〜９３Ｂ＿３は、このリード動作とライト動作をＡ群ＳＲＡＭ９３Ａ＿１〜９３Ａ＿３とＢ群ＳＲＡＭ９３Ｂ＿１〜９３Ｂ＿３をトグル動作させることにより、ライン間の繋ぎを行っている。
【００５８】
そして、光書込部２５は、上述のように、Ａ３幅の３本のＬＥＤヘッド２５ａ、２５ｂ、２５ｃを千鳥状に配設しているため、ＬＥＤヘッド２５ｂが、ＬＥＤヘッド２５ａを基準として、メカニカルレイアウト上、副走査方向に１７．５ｍｍずらして取り付けられている。
【００５９】
したがって、Ａ群ＳＲＡＭ９３Ａ＿１〜９３Ａ＿３とＢ群ＳＲＡＭ９３Ｂ＿１〜９３Ｂ＿３から出力される画像信号を同時に処理してＬＥＤヘッド２５ｂに転送すると、ＬＥＤヘッド２５ａに対して、ＬＥＤヘッド２５ｂは、副走査方向に１７．５ｍｍ（１７．５ｍｍ／４２．３μｍ（６００ｄｐｉに１ｄｏｔ）＝約４１６ライン）ずれて印刷されてしまう。
【００６０】
そこで、ＬＥＤ書込制御回路５１は、このようなメカ的なずれを補正するために、８ＭＨｚでＡ群ＳＲＡＭ９３Ａ＿２とＢ群ＳＲＡＭ９３Ｂ＿２から出力されたＬＥＤヘッド２５ｂの画像信号を８画素単位としてフィールドメモリ９４Ａに転送ライン順に２ＭＨｚで１８０ライン（固定）書き込む。次に、ＬＥＤ書込制御回路５１は、画像信号の書き込まれた順に２ＭＨｚでフィールドメモリ９４Ａから画像信号を読み出すと同時に、カスケード接続されているフィールドメモリ９４Ｂに２３６ライン（可変）書き込み、この書き込まれた順に２ＭＨｚでフィールドメモリ９４Ｂから画像信号を読み出して、Ｌ２ＤＦＭＯ（７．．０）として、第２ＩＣ９２に入力する。したがって、ＬＥＤヘッド２５ｂへの画像信号は、４１６ライン（１７．５ｍｍ）遅延される。この遅延させるライン数は、ＬＥＤヘッド２５ｂの部品精度や組み付けばらつき等により個々に異なるため、１ライン（４２．３μｍ）単位で制御することができるようになっている。
【００６１】
また、光書込部２５は、上述のように、Ａ３幅のＬＥＤヘッド２５ａ、２５ｂ、２５ｃを千鳥状に配設しているため、ＬＥＤヘッド２５ｃが、ＬＥＤヘッド２５ａを基準として、メカニカルレイアウト上、副走査方向に０．５ｍｍずらして取り付けられている。
【００６２】
したがって、Ａ群ＳＲＡＭ９３Ａ＿１〜９３Ａ＿３とＢ群ＳＲＡＭ９３Ｂ＿１〜９３Ｂ＿３から出力される画像信号を同時に処理してＬＥＤヘッド２５ｃに転送すると、ＬＥＤヘッド２５ａに対して、ＬＥＤヘッド２５ｃは、副走査方向に０．５ｍｍ（０．５ｍｍ／４２．３μｍ（６００ｄｐｉに１ｄｏｔ）＝約１２ライン）ずれて印刷されてしまう。
【００６３】
そこで、ＬＥＤ書込制御回路５１は、このようなメカ的なずれを補正するために、８ＭＨｚでＡ群ＳＲＡＭ９３Ａ＿３とＢ群ＳＲＡＭ９３Ｂ＿３から出力されたＬＥＤヘッド２５ｃの画像信号を８画素単位としてフィールドメモリ９４Ｃに転送ライン順に２ＭＨｚで１２ライン書き込む。次に、ＬＥＤ書込制御回路５１は、画像信号の書き込まれた順に２ＭＨｚでフィールドメモリ９４Ｃから画像信号を読み出して、Ｌ３ＤＦＭＯ（７．．０）として、第２ＩＣ９２に入力する。したがって、ＬＥＤヘッド２５ｃへの画像信号は、１２ライン（１ｍｍ）遅延される。この遅延させるライン数は、ＬＥＤヘッド２５ｃの部品精度や組み付けばらつき等により個々に異なるため、１ライン（４２．３μｍ）単位で制御することができるようになっている。
【００６４】
また、ＬＥＤヘッド２５ａ、２５ｂ、２５ｃは、各ＬＥＤ素子ＬＥ１〜ＬＥ７６８０の光量バラツキを補正するために、ＬＥＤ素子ＬＥ１〜ＬＥ７６８０毎の補正データとＬＥＤ素子ＬＥ１〜ＬＥ７６８０のＬＥＤアレイチップ毎の補正データを、各ＬＥＤヘッド２５ａ〜２５ｃ内に光量補正ＲＯＭ（図示略）を搭載しており、デジタル複写装置１は、電源が投入されると、この光量補正ＲＯＭの光量バラツキ補正データを各ＬＥＤヘッド２５ａ、２５ｂ、２５ｃに転送する。
【００６５】
すなわち、電源投入時及びＬＥＤ書込制御回路５１がリセットした後、ＬＥＤ書込制御回路５１は、最初に、ＬＥＤヘッド２５ａ内に搭載されている光量補正用ＲＯＭ（ＥＥＰＲＯＭ）から第２ＩＣ９２を介して内部回路でシリアル／パラレル変換してアドレス信号ＨＯＳＥＩＡＤ（１２．．０）により００００Ｈから順番に光量補正データＳＲＡＭ部９５に格納する。この光量補正データＳＲＡＭ部９５としては、ＳＲＡＭが用いられている。ＬＥＤ書込制御回路５１は、光量補正データＳＲＡＭ部９５にＬＥＤヘッド２５ａ、２５ｂ、２５ｃのドット分のデータが格納されると、次に、光量補正データＳＲＡＭ部９５からデータを読み出して、光量補正データＨＯＳＥＩＤ（７．．０）を、再度、第２ＩＣ９２に入力して、第２ＩＣ９２の内部回路で、４ビット単位にデータ変換し、Ｌ１ＤＴ（３．．０）からＬＥＤヘッド２５ａに転送して、ＬＥＤヘッド２５ａの光量補正を行う。
【００６６】
ＬＥＤ書込制御回路５１は、このようにして、ＬＥＤヘッド２５ａへの光量補正データの転送を行うと、ＬＥＤヘッド２５ａと同様に、順次、ＬＥＤヘッド２５ｂ、２５ｃについても同様に光量補正を行う。
【００６７】
そして、このように転送した光量補正データは、ＬＥＤヘッド２５ａ、２５ｂ、２５ｃの電源をＯＦＦしない限り、ＬＥＤヘッド２５ａ、２５ｂ、２５ｃ内部で保持される。
【００６８】
また、デジタル複写装置１は、主走査方向最大４２０ｍｍ（Ａ２縦サイズ）までの画像を、最大８４１ｍｍ（Ａ０縦サイズ）の用紙に同じ画像を並べて２回印字し、コピーして、生産性を２倍向上させるダブルコピー機能を備えている。
【００６９】
このダブルコピー時、デジタル複写装置１は、画像メモリ部６１から２値画像信号（ＰＫＤＥ、ＰＫＤＯ）をＬＳＹＮＣ＿Ｎの１／２以下でＬＥＤ書込制御回路５１に転送するため、これを利用して、１つのＬＳＹＮＣ＿Ｎの中で、画像信号のダビング操作を行う。すなわち、ＬＥＤ書込制御回路５１は、画像メモリ部６１から１６ＭＨｚで送られてきた画像信号（ＰＫＤＥ、ＰＫＤＯ）を、第１ＩＣ９１からＷＤＥ、ＷＤＯとしてダブルコピーＲＡＭ部９７にアドレス信号ＷＡＤＲ（１２．．０）とともに出力され、ダブルコピーＲＡＭ部９７に画像データを格納すると同時に、画像データを４画素単位に変換した後、画像データＲＡＭ部９３Ａ＿１〜９３Ａ＿３、９３Ｂ＿１〜９３Ｂ＿３の３個のＡ群ＳＲＡＭ９３Ａ＿１〜９３Ａ＿３に格納する。画像メモリ部６１からの画像信号格納終了と同時に、ダブルコピーＲＡＭ部９７に格納した画像データを読み出して、第１ＩＣ９１に取り込み、ＬＥＤ書込制御回路５１は、画像メモリ部６１から送られてきた画像データと同様に４画素単位に変換して、Ａ群ＳＲＡＭ９３Ａ＿１〜９３Ａ＿３に追加読み込みさせる。したがって、Ａ群ＳＲＡＭ９３Ａ＿１〜９３Ａ＿３には、ダブルコピー画像の主走査１ライン部が格納されたことになる。ＬＥＤ書込制御回路５１は、この動作をＡ群ＳＲＡＭ９３Ａ＿１〜９３Ａ＿３とＢ群ＳＲＡＭ９３Ｂ＿１〜９３Ｂ＿３をトグルさせることで、ライン間の繋ぎを行う。
【００７０】
そして、第２ＩＣ９２は、上述のようにして８ｄｏｔ単位（８画素単位）のデジタル記録画像データが入力されると、第２ＩＣ９２内部で４ｄｏｔ単位（４画素単位）にフォーマット変換し、１ライン合成して、データ転送クロックＣＬＫと点灯タイミング信号ＳＴＲＢとともに、画像データ出力部９６に出力する。画像データ出力部９６は、４ｄｏｔ単位にフォーマットされた画像データがデータ転送クロックＣＬＫと点灯タイミング信号ＳＴＲＢとともに第２ＩＣ９２から入力されると、当該画像データをＬＥＤヘッド２５ａ、２５ｂ、２５ｃに４ＭＨｚのスピードで転送する。すなわち、データ転送クロックＬ１ＣＬＫ〜Ｌ３ＣＬＫは、２ＭＨｚであり、立ち上がりエッジ、多値下がりエッジでデータを確定する。
【００７１】
したがって、上記ＬＥＤ書込制御回路５１、特に、第１ＩＣ９１及び第２ＩＣ９２は、画像データ転送制御手段として機能し、また、ＬＥＤ書込制御回路５１、特に、第２ＩＣ９２は、駆動タイミング制御手段として機能している。
【００７２】
ＬＥＤ書込制御回路５１は、書込制御プログラムを格納するダウンロード部９８を備えており、ダウンロード部９は、例えば、ＥＰＲＯＭ（Erasable and Programmable ＲＯＭ）で構成されている。このようにダウンロード部９８を備えているのは、上記第１ＩＣ９１、第２ＩＣ９２がＳＲＡＭ（Static ＲＡＭ ）タイプのＣＰＬＤであり、電源がオフされることで、第１ＩＣ９２及び第２ＩＣ９２内部の書込制御プログラムが全て消去され、電源がオンされたときに、この書込制御プログラムを毎回ダウンロード（コンフィギュレーション）する必要があるからである。すなわち、電源が投入されると、ＬＥＤ書込制御回路５１は、第１ＩＣ９１にダウンロード部９８からＤＯＷＮＲＯＡＤ＿ＣＰＬＤ１としてプログラムをシリアルデータで転送し、ダウンロードを行う。ＬＥＤ書込制御回路５１は、第１ＩＣ９１にプログラムのダウンロードが終了すると同時に、第２ＩＣ９２にダウンロード部９８からＤＯＷＮＲＯＡＤ＿ＣＰＬＤ２としてプログラムをシリアルデータで転送し、プログラムをダウンロードする。
【００７３】
さらに、ＬＥＤ書込制御回路５１は、リセット回路９９を備えており、システムの初期化を行う。すなわち、電源オン時及びＬＥＤ書込制御回路５１の供給電源の電圧降下が発生すると、リセット回路９９が、システムリセット信号ＲＥＳＥＴ＿ＣＰＬＤ１及びシステムリセット信号ＲＥＳＥＴ＿ＣＰＬＤ２を出力する。システムリセット信号ＲＥＳＥＴ＿ＣＰＬＤ１は、第１ＩＣ９１に入力され、システムリセット信号ＲＥＳＥＴ＿ＣＰＬＤ２は、第２ＩＣ９２に入力される。第１ＩＣ９１及び第２ＩＣ９２は、それぞれシステムリセット信号ＲＥＳＥＴ＿ＣＰＬＤ１及びシステムリセット信号ＲＥＳＥＴ＿ＣＰＬＤ２に基づいて内部カウンタのリセットを行い、システムの初期化を行う。
【００７４】
そして、上記システム制御部６２は、制御信号入力データバスＬＤＡＴＡ（７．．０）、アドレスバスＬＡＤＲ（５．．０）、ラッチ信号ＶＤＢＣＳ、画像転送信号ＦＧＡＴＥＩＯＢ＿Ｎ、ＳＧＡＴＥ＿Ｎを、第１ＩＣ９１及び第２ＩＣ９２に入力することで、ＬＥＤ書込制御回路５１への書込条件（ダブルコピーの有無、書込用紙サイズ等）の設定・制御を行う。
【００７５】
次に、本実施例の作用を説明する。本実施例のデジタル複写装置１は、主走査１ライン間に１ライン分の画像データを各ＬＥＤヘッド２５ａ、２５ｂ、２５ｃに転送し、当該画像データに基づく点灯回数を数回制御して、１ライン間幅に対して印字密度を増加させて横線を太らせ、１ドットの縦・横の比率を改善している。
【００７６】
すなわち、光書込部２５は、３つのＬＥＤヘッド２５ａ、２５ｂ、２５ｃが感光体２３の軸線方向に千鳥状に配設されているとともに、副走査方向に所定量ずれて、主走査方向で所定量重なる状態で、千鳥状に配設されている。
【００７７】
そして、図５にＬＥＤヘッド２５ａ〜２５ｃへのデータ転送と点灯制御についてのタイミングを示すように、デジタル複写装置１のＬＥＤ書込制御回路５１は、主走査１ライン間隔を示すＲＬＳＹＮＣの間に、一連の処理を行い、まず、ＨＳＹＮＣで、ＬＥＤヘッド２５ａ、２５ｂ、２５ｃへの画像データの転送を開始する。
【００７８】
ＬＥＤ書込制御回路５１は、画像データの転送において、まず、ＬＥＤヘッド２５ａ〜２５ｃの７６８０画素分の奇数データ（オッドデータ：ＯＤＤ  ＤＡＴＡ）を転送した後、ロード信号（ＬＯＡＤ信号）によりデータをラッチさせる。次に、ＬＥＤ書込制御回路５１は、偶数データ（イーブンデータ：ＥＶＥＮ  ＤＡＴＡ）を転送し、再び、ロード信号（ＬＯＡＤ信号）でラッチさせる。ＬＥＤ書込制御回路５１は、偶数データ（イーブンデータ：ＥＶＥＮ  ＤＡＴＡ）を転送している間に、ラッチした奇数データ（オッドデータ：ＯＤＤ  ＤＡＴＡ）を点灯イネーブル信号（ＯＤＤ＿ＤＲＶ）をイネーブルにして、第２ＩＣ９２からの点灯タイミング信号（ＳＴＲＢ）により、ＬＥＤを点灯・発光させる。その後、ＬＥＤ書込制御回路５１は、同様に、ラッチした偶数データ（イーブンデータ：ＥＶＥＮ  ＤＡＴＡ）を点灯イネーブル信号（ＥＶＥＮ＿ＤＲＶ）をイネーブルにして、点灯タイミング信号（ＳＴＲＢ）により、ＬＥＤを点灯・発光させる。
【００７９】
この場合、ＬＥＤ書込制御回路５１は、点灯タイミング信号（ＳＴＲＢ）の制御として、奇数データの点灯を点灯タイミング信号ＳＴＲＢ＿ａのＬＯＷ（ロー）の期間でＬＥＤを発光させ、偶数データの点灯を点灯タイミング信号ＳＴＲＢ＿ｂのＬＯＷの期間でＬＥＤ発光させる。そして、ＬＥＤは、点灯タイミング信号ＳＴＲＢがＬＯＷの期間に発光するので、画像濃度を調整することができる。ただし、画像濃度は、プロセス条件等によって規制されており、機械条件としては、主走査１ライン間隔の１０％前後である。
【００８０】
ここで、偶数データ及び奇数データの点灯回数を複数回（例えば、２回ずつ）に制御すると、図５の点灯タイミング信号ＳＴＲＢ＿ｃ、点灯タイミング信号ＳＴＲＢ＿ｄ、点灯タイミング信号ＳＴＲＢ＿ｅ、点灯タイミング信号ＳＴＲＢ＿ｆを出力して、主走査１ライン間でのＬＥＤ点灯時間を増やすことができる。
【００８１】
このように、本実施例のデジタル複写装置１は、２値の画像データに応じて発光制御される複数個のＬＥＤが一方向に配列されたＬＥＤヘッドと、当該ＬＥＤヘッドの発光光を感光体２３に結像させる結像手段と、を備えた複数のＬＥＤヘッド２５ａ〜２５ｃが、感光体２３の軸線方向を主走査方向として副走査方向に所定量ずれて、主走査方向で所定量重なる状態で千鳥状に配列され、ＬＥＤ書込制御回路５１が、１ライン分の画像データを発光素子アレイユニット毎に分割して各ＬＥＤヘッド２５ａ〜２５ｃに転送し、当該画像データに基づくＬＥＤヘッド２５ａ〜２５ｃの各ＬＥＤの点灯タイミングを制御して点灯駆動させて主走査するに際して、ＬＥＤ書込制御回路５１が、主走査１ライン間に１ライン分の画像データを各ＬＥＤヘッド２５ａ〜２５ｃに転送し、当該画像データに基づいた点灯制御を複数回行って、各ＬＥＤを複数回点灯駆動させている。
【００８２】
したがって、各ＬＥＤを主走査１ライン間に複数回印字して、１ライン間幅に対する印字密度を増やして、横線を太らせることができ、１ドットの縦・横の比率を改善して、画像品質を向上させることができる。
【００８３】
また、本実施例のデジタル複写装置１は、ＬＥＤ書込制御回路５１で、偶数データの点灯タイミング信号ＳＴＲＢ＿ｃと点灯タイミング信号ＳＴＲＢ＿ｄの間隔及び点灯タイミング信号ＳＴＲＢ＿ｅと点灯タイミング信号ＳＴＲＢ＿ｆの間隔を最大限に広げると、感光体２３の回転と主走査１ライン間隔を有効に使用できるようにすることができる。
【００８４】
すなわち、駆動タイミング制御手段が、主走査１ライン間の複数回の点灯タイミングを、当該主走査１ライン内の最大制御有効範囲内で制御する。
【００８５】
したがって、複数回の点灯間隔を広げて、より一層横線を太らせることができ、１ドットの縦・横の比率をより一層改善して、より一層画像品質を向上させることができる。
【００８６】
さらに、本実施例のデジタル複写装置１は、ＬＥＤ書込制御回路５１で、例えば、偶数データの点灯タイミング信号ＳＴＲＢ＿ａの間隔が、主走査１ライン間隔の１０％幅とした場合、点灯タイミング信号ＳＴＲＢ＿ｃと点灯タイミング信号ＳＴＲＢ＿ｄを両者の点灯時間を足して、１０％にすることで、画像濃度を変えずに、１画素の横幅を太らせ、縦横比を改善することができる。
【００８７】
すなわち、ＬＥＤ書込制御回路５１が、各ＬＥＤの複数回の点灯駆動の点灯時間を、点灯有効範囲内で制御する。
【００８８】
したがって、コピー時等の１回のみ点灯駆動させる場合の画像濃度と同じ画像濃度であって、かつ、１ライン内でのエッジ濃度を上げることで、より一層横線を太らせることができ、１ドットの縦・横の比率をより一層改善して、画像品質をより一層向上させることができる。
【００８９】
また、本実施例のデジタル複写装置１は、上記点灯タイミング信号ＳＴＲＢ＿ｃと点灯タイミング信号ＳＴＲＢ＿ｄの比率（点灯タイミング信号ＳＴＲＢ＿ｅと点灯タイミング信号ＳＴＲＢ＿ｆの比率）を自動制御する。すなわち、本実施例のデジタル複写装置１は、３本のＬＥＤヘッド２５ａ〜２５ｃを千鳥状に取り付けており、各々のＬＥＤヘッド２５ａ〜２５ｃの点灯デューティ（ＤＵＴＹ）が異なるため、１本目のＬＥＤヘッド２５ａの点灯幅が、１０％で、２本目のＬＥＤヘッド２５ｂの点灯幅が９％で、３本目のＬＥＤヘッド２５ｃの幅が１２％の場合、点灯タイミング信号ＳＴＲＢ＿ｃと点灯タイミング信号ＳＴＲＢ＿ｄの比率（点灯タイミング信号ＳＴＲＢ＿ｅと点灯タイミング信号ＳＴＲＢ＿ｆの比率）を３：１に設定すると、１本目のＬＥＤヘッド２５ａが、７．５％と２．５％となり、２本目のＬＥＤヘッド２５ｂが、６．７５％と２．２５％、３本目のＬＥＤヘッド２５ｃが、９％と３％となり、各ＬＥＤヘッド２５ａ〜２５ｃ間の濃度むらなく、均一となる。
【００９０】
また、１本目のＬＥＤヘッド２５ａでの比率３：１での点灯タイミング信号ＳＴＲＢの間隔は、奇数データ用の点灯タイミング信号ＳＴＲＢ＿ｃが、７．５％、点灯タイミング信号ＳＴＲＢ＿ｄが、２．５％、偶数データ用の点灯タイミング信号ＳＴＲＢ＿ｅが、２．５％、点灯タイミング信号ＳＴＲＢ＿ｆが、７．５％であり、点灯タイミング信号ＳＴＲＢ＿ｃと点灯タイミング信号ＳＴＲＢ＿ｆの点灯時間を長くすることで、エッジ部を強調することができ、１ライン内で太くすることができる。すなわち、ＬＥＤ書込制御回路５１が、点灯時間を比率制御している。
【００９１】
したがって、各ＬＥＤヘッド２５ａ〜２５ｃの調整を簡単かつ容易なものとすることができるとともに、コピー時等の１回のみ点灯駆動させる場合の画像濃度と同じ画像濃度であって、かつ、１ライン内でのエッジ濃度を上げることで、より一層横線を太らせることができ、１ドットの縦・横の比率をより一層改善して、画像品質をより一層向上させることができる。
【００９２】
さらに、本実施例のデジタル複写装置１は、上述のように、ＬＥＤヘッド２５ａ〜２５ｃが、ＬＥＤヘッド２５ａを基準として、ＬＥＤヘッド２５ｃがメカニカルレイアウト上、副走査方向に０．５ｍｍずらして取り付けられていて、感光体２３の軸方向にアレイ状に配設されているとともに、感光体２３の回転方向に位置ずれして千鳥状に配設されている。
【００９３】
また、各ＬＥＤ素子ＬＥ１〜ＬＥ７６８０は、図３に示したように、感光体２３の回転方向を手前方向とし、転写紙２１の搬送方向を図３の下側から上方向であるとすると、奇数ドットよりも偶数ドットが上流に位置している。いま、奇数ドットと偶数ドットの間隔は、６００ｄｐｉでは、１ドット当たり４２．３ｕの径であるので、１ライン４２．３ｕ幅となり、それ以内である必要がある。なお、機械線速から、奇数ドットの中央と偶数ドットの中央のズレは、１０ｕとする。
【００９４】
そして、ＬＥＤ書込制御回路５１が、１ラインの画像を下流に位置している奇数ドットに奇数画像データを転送して点灯し、次に、上流に位置している偶数ドットに偶数画像データを転送して転送させることで、感光体２３の回転方向に対して主走査１ライン内で奇数画像、偶数画像の印字タイミングのズレが生じて、図６（ｂ）に示すように、１ライン間でドット幅を太らせることができ、縦横比を改善することができる。なお、図６（ａ）は、ＬＥＤを副走査方向にずらさず、かつ、奇数目と偶数目でＬＥＤの点灯タイミングをずらすことなく印字した場合を示しており、この図６（ａ）の場合に比較して、図６（ｂ）の場合は、横線の線幅が太くなっている。
【００９５】
すなわち、ＬＥＤヘッド２５ａ〜２５ｃを、奇数目のＬＥＤと偶数目のＬＥＤが副走査方向に所定量位置ずらして配設している。
【００９６】
したがって、主走査１ライン間内で多少のズレが生じても、感光体２３の回転とＬＥＤヘッド２５ａ〜２５ｃの偶数目のＬＥＤの点灯タイミングと奇数目のＬＥＤの点灯タイミングにズレが生じ、主走査１ライン内で横線を太らせることができ、縦・横の比率をより一層改善して、画像品質をより一層向上させることができる。
【００９７】
また、ＬＥＤ書込制御回路５１が、主走査１ラインのデータをＬＥＤヘッド２５ａ〜２５ｃに転送する際、奇数目のＬＥＤ用の画像データを転送した後、偶数目のＬＥＤ用の画像データを転送、あるいは、偶数目のＬＥＤ用の画像データを転送した後、奇数目のＬＥＤ用の画像データを転送している。
【００９８】
したがって、コピー時等の１回のみ点灯駆動させる場合のデータ転送と、プリンタ時等の複数回点灯駆動させる場合のデータ転送を切り換え、また、各ＬＥＤヘッド２５ａ〜２５ｃの取付方向に依存したデータ転送を行い、感光体２３の回転とＬＥＤヘッド２５ａ〜２５ｃの偶数目のＬＥＤの点灯タイミングと奇数目のＬＥＤの点灯タイミングにズレを生じさせて、主走査１ライン内で横線を太らせることができ、縦・横の比率をより一層改善して、画像品質をより一層向上させることができる。
【００９９】
さらに、発光素子アレイを、感光体２３の回転方向に対して、奇数目のＬＥＤよりも偶数目のＬＥＤが所定量上流側に配設されたものとし、ＬＥＤ書込制御回路５１が、主走査１ラインの画像データをＬＥＤヘッド２５ａ〜２５ｃに転送する際、奇数目のＬＥＤ用の画像データを先に転送し、その後、偶数目のＬＥＤ用の画像データを転送している。
【０１００】
したがって、感光体２３の回転とＬＥＤヘッド２５ａ〜２５ｃの偶数目のＬＥＤの点灯タイミングと奇数目のＬＥＤの点灯タイミングにズレを生じさせて、主走査１ライン内で横線を太らせることができ、縦・横の比率をより一層改善して、画像品質をより一層向上させることができる。
【０１０１】
そして、本実施例のデジタル複写装置１は、その操作部１５の操作パネル７１に、出力モードを切り換えるセレクトキーを設け、当該セレクトキーのキー操作に応じて、図５に示したコピアモードとプリンタモードに切り換えるようにしてもよい。
【０１０２】
すなわち、コピアモードでは、画像読取部８で読み取った原稿の画像データに対して画像処理回路８４等で各種画像処理を施すことで、１ドットの縦横比を補正して印字することができるが、プリンタモードでは、パーソナルコンピュータ等の外部装置から送られてきた画像データ自体に基づいて印字するため、１ｄｏｔとの縦横比が問題となる。
【０１０３】
そこで、デジタル複写装置１を、画像データの出力モードとして、コピーモード、プリンタモード等の複数の出力モードを有したものとし、当該出力モードによってＬＥＤ書込制御回路５１による画像データの転送及び点灯駆動タイミングを制御している。したがって、線画を忠実に出力することができる。
【０１０４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０５】
列状に配設された発光素子を点灯させて印字する際に、印字画像１ドットの縦横の比率を改善して画像品質を向上させる複写装置、ファクシミリ装置、プリンタ等の画像書込装置に適用することができる。
【図面の簡単な説明】
【０１０６】
【図１】本発明の画像書込装置の一実施例を適用したデジタル複写装置の概略構成図。
【図２】図１のデジタル複写装置の要部回路ブロック構成図。
【図３】図２のＬＥＤヘッドの拡大平面図。
【図４】図２のＬＥＤ書込制御回路の詳細な回路図。
【図５】図４のＬＥＤ書込制御回路によるＬＥＤヘッドへのデータ転送と点灯制御タイミングを示すタイミング図。
【図６】図１のデジタル複写装置による横線の幅を太らせない場合の印字のイメージ（ａ）と奇数目のＬＥＤと偶数目のＬＥＤで点灯タイミングをずらして横線の幅を太らせた場合の印字イメージ（ｂ）を示す図。
【符号の説明】
【０１０７】
１  デジタル複写装置
２  本体筐体
３  給紙部
４  搬送部
５  画像形成部
６  定着部
７  排紙部
８  画像読取部
１０  手差しトレイ
１１  原稿台
１２  分離チャージャ
１３  搬送タンク
１４  排紙トレイ
１５  操作部
２１  転写紙
２２  レジストローラ
２３  感光体
２４  帯電部
２５  光書込部
２５ａ、２５ｂ、２５ｃ  ＬＥＤヘッド
２５ｂ＿Ｄｒ１〜２５ｂ＿Ｄｒ４０  ドライバ
２６  現像部
２７  転写部
２８  クリーニング部
３１  ローラ
３２  密着センサ
３３  白色ローラ
３４  ローラ
４１  画像情報記憶部
５１  ＬＥＤ書込制御回路
５２  プリンタ駆動
６１  画像メモリ部
６２  システム制御部
６３  駆動制御回路
７１  操作パネル
７２  操作制御回路
８１  画像増幅回路
８２  Ａ／Ｄ変換回路
８３  シェーディング補正回路
８４  画像処理回路
８５  同期制御回路
８６  読取制御回路
８７  スキャナ駆動部
９０  画像データ入力部
９１  第１ＩＣ
９２  第２ＩＣ
９３Ａ＿１〜９３Ａ＿３、９３Ｂ＿１〜９３Ｂ＿３  画像データＲＡＭ部
９４Ａ〜９４Ｃ  画像データ遅延部
９５  光量補正ＲＡＭ部
９６  画像データ出力部
９７  ダブルコピーＲＡＭ部
９８  ダウンロード部
９９  リセット回路部
【図１】
2005169799.tif 000003
【図２】
2005169799.tif 000004
【図３】
2005169799.tif 000005
【図４】
2005169799.tif 000006
【図５】
2005169799.tif 000007
【図６】
2005169799.tif 000008